(57)【要約】【課題】鉄骨枠の外面と内面とに鉄製の被覆板を貼着して軽量でしかも頑強なユニットパネルを成形することにより、一般住宅などの建物として使用でき、煩雑な手間が掛からず作業の迅速化が容易であると共に工期も短縮できて施工コストも低廉になし得る組立ハウスを提供する。【解決手段】ユニットパネルａは、鉄骨を枠組して側壁部３ａと屋根壁部３ｂとが一体に成形される鉄骨枠４と、該鉄骨枠４の外面と内面とにそれぞれ内部が中空状となるように貼着される鉄製の被覆板５ａ，５ｂとからなり、これら複数のユニットパネルａを所定の位置に順次並置し、連結手段２３，２４，２５，２６により前記隣接するユニットパネルａ，ａ同士を連結し一体化して組立ハウスＨが組み立てられる。【選択図】図４
2006070591.tif 000002
【特許請求の範囲】
【請求項１】
鉄骨を枠組して側壁部と屋根壁部とが一体に成形される鉄骨枠と、前記鉄骨枠の外面と内面とにそれぞれ内部が中空状となるように貼着される鉄製の被覆板とからなり、所定の強度を有し、前記鉄骨枠の周縁に設けられる適宜連結手段により連結し得るようにしたことを特徴とするユニットパネル。
【請求項２】
前記ユニットパネルを所定の位置に順次隣接させて複数個並置し、前記連結手段により前記隣接するユニットパネル同士を連結し一体化させて組み立てるようにしたことを特徴とする組立ハウス。
【発明の詳細な説明】
【技術分野】
【０００１】
本発明は、一般住宅を初め宿泊施設、介護施設、社員寮、レンタル施設、倉庫、店舗等の建物として広く利用され、複数のユニットパネルと該各ユニットパネルを連結して組み立てられるようにした組立ハウスに関するものである。
【背景技術】
【０００２】
従来、例えば一般住宅は、基礎である土台の上に多くの柱が立設され、各柱間にはり、けたが差し渡されると共に柱間には壁材が張設される。また、前記はりの上方にむな木が横架されると共に該むな木とけた間に多くの垂木が列設される。そして、その上面に野地を敷き詰め、更に、その上面に瓦を敷き詰めるなどして構築されている（例えば、特許文献１参照。）。
【特許文献１】特開２００４−１６２４９８号公報（第２−３頁、図１、図３）
【発明の開示】
【発明が解決しようとする課題】
【０００３】
前記特許文献１の一般住宅にあっては、柱、壁材、はり、けた、むな木、垂木など非常に多くのしかも種類・形状の異なった資材を必要とし、これらはそれぞれ順に間違いのないように組み立てねばならないので、成形上は言うに及ばず組立上も煩雑な手間が多くて作業の迅速化が困難である。また、住宅の荷重は、複数の柱と仕切り用の壁とで主に持たせているので、建物内の間取りに制約が有り、好みの間取りが採り難いという課題が有る。更に、住宅の完成まで長い工期を要するばかりか施工コストも高くなるという課題がある。
【０００４】
そこで、本発明は上記課題を解決すべくなされたもので、鉄骨枠と鉄製の被覆板とにより軽量で頑強なユニットパネルを成形することにより、一般住宅などの建物として使用でき、煩雑な手間が掛からず作業の迅速化が容易であり、しかも、内部の柱や仕切り用の壁も不要として間取りの自由度が高められ、工期も短縮できて施工コストも低廉になし得る組立ハウスを提供することを目的とするものである。
【課題を解決するための手段】
【０００５】
かかる目的を達成するため本発明に係るユニットパネルは、鉄骨を枠組して側壁部と屋根壁部とが一体に成形される鉄骨枠と、前記鉄骨枠の外面と内面とにそれぞれ内部が中空状となるように貼着される鉄製の被覆板とからなり、所定の強度を有し、前記鉄骨枠の周縁に設けられる適宜連結手段により連結し得るようにした構成からなる。
【０００６】
また、組立ハウスは、前記ユニットパネルを所定の位置に順次隣接して複数個並置し、前記連結手段により前記隣接するユニットパネル同士を連結し一体化させて組み立てるようにした。
【発明の効果】
【０００７】
本発明に係るユニットパネルは、側壁部と屋根壁部とが一体に成形される鉄骨枠の外面と内面とに鉄製の被覆板を貼着した構成からなり、成形が簡単で軽量であるばかりか一般建築基準を満たす所定の強度を有し強度的にも頑強である。
また、組立ハウスは、このようなユニットパネルを複数個使用することにより一体化して組み立てられるので、一般住宅などの建物として使用でき、組立上煩雑な手間が掛からず作業の迅速化が容易であり、しかも、柱や仕切り用の壁も不要であり間取りの自由度が高められる。また、工期も短縮でき施工コストも低廉になし得るという有益な効果を有する。更に、従来工法による現場施工で発生する各種破材等のゴミ問題やそれらを廃棄処理する上での環境問題にも十分に対応でき、処理コストも低廉になし得るという効果を有する。
【発明を実施するための最良の形態】
【０００８】
以下、本発明に係るユニットパネルとこれを使って組み立てる組立ハウスの実施の形態を図面に基づき説明する。本発明の組立ハウスは、宿泊施設について説明するが、他に、一般住宅、介護施設、社員寮、レンタル施設、倉庫、店舗等の建物としても利用される。図１はユニットパネルの斜視図、図２は同分解斜視図である。ユニットパネルａは後記するように所定の位置に順次並置して連結され、これにより組立ハウスＨが組み立てられることになる。
【０００９】
この実施の形態にあっては、組立ハウスＨが複数個のユニットパネルａを一体化して成形されており、この組立ハウスＨを組み立てられるようにユニットパネルａの形状が選定される。また、組立ハウスＨは、その他に例えば平面三角形、平面四角形、平面五角形、平面六角形、平面七角形、平面八角形、更にはこれらより多い平面多角形、または平面楕円形といったあらゆる平面形状が可能であって、屋根壁部も略半球形、多角錐形、円錐形、その他自由な形状のものが選択可能である。
【００１０】
ユニットパネルａは、組立ハウスＨを平面的に見てその円周方向に１２等分したときのその一つにあたる。この分割方法は、１２等分に限らず、例えば１４等分、１６等分、１８等分、２０等分など自由に選択できる。すなわち、ユニットパネルａは、断面ｃ型の縦鉄骨１及びその間に配置される横鉄骨２を曲げ形を整えて枠組され、側壁部３ａと屋根壁部３ｂとが一体に成形される鉄骨枠４と、該鉄骨枠４の外面と内面とにそれぞれ内部が中空状となるように溶接して貼着される鉄製の外側被覆板５ａ及び内側被覆板５ｂとから構成される。これにより、側壁部３ａの水平断面が外側へ膨らむ円弧状に成形され、その上端部に屋根壁部３ｂが連続して延設される。
【００１１】
前記鉄骨枠４は、側壁部３ａと屋根壁部３ｂとに分割成形され、側壁部３ａ上端の横鉄骨２と屋根壁部３ｂ下端の横鉄骨２にそれぞれ連通する複数のボルト挿通孔４ａ，４ａが貫設され、これらボルト挿通孔４ａ，４ａにボルト４ｂを挿通すると共に該ボルト４ｂにナット４ｃを螺締することにより、側壁部３ａと屋根壁部３ｂとが一体に成形される。側壁部３ａと屋根壁部３ｂとを分割成形せずに、初めから一体に成形するようにしても良い。また、図示は省略するが、前記ユニットパネルａを側壁部３ａと屋根壁部３ｂとに分割し、それらを蝶番で連結して互いに折畳み自在としても良い。このようにすれば、工場で生産された後のユニットパネルａを現場まで輸送するに折り畳んでコンパクトな状態で輸送できることから至便である。
【００１２】
図３（イ）は、窓を取付けたユニットパネルａ１を示し、側壁部３ａの所定の高さ位置に方形状の取付口６を開設し、該取付口６に窓７を取付けるようにしている。また、図３（ロ）は扉を取付けたユニットパネルａ２を示し、側壁部３ａに縦長の長口８を開設し、該長口８に扉９を配置すると共にその一側を長口８の内側に蝶番（図示せず。）によって連結することにより、扉９を回動自在に装着するようにしている。これらユニットパネルａ１，ａ２は所定の個数（１〜３個）用意される。
【００１３】
また、通常のユニットパネルａにあっては、図５、図７に示すようにその外側被覆板５ａの表側の適宜位置に所定の隙間離して金網１０が張設され、該金網１０に凹凸部を前面に施した略方形状の石板１１が複数枚装着される。これら石板１１の裏面には、逆Ｕ字状の掛止具１１ａが固着され、この掛止具１１ａを金網１０に掛止するようにしている。また、各石板１１と外側被覆板５ａとの間にモルタル１２を充填し、更に、側壁部３ａの外側被覆板５ａの表面には漆喰を施し美的なデザインとなるようにしている。一方、同内側被覆板５ｂには遮熱塗料が塗着される。この遮熱塗料は、遮熱性の高いセラミックビ−ズを使用した水性塗料であって、断熱効果、防音効果、結露防止効果、高弾効果に優れている。また、前記各ユニットパネルａ，ａ１，ａ２の外側被覆板５ａ、内側被覆板５ｂとの間に断熱材を内装するようにしても良い。
【００１４】
前記側壁部３ａの下端面１３に沿って内側端縁が内側被覆板５ｂよりも内方へ突出する固定板１４が固着される。この固定板１４の円周方向に沿った両側に、最下位置の横鉄骨２に開設された螺子挿通孔１５に連通する螺子挿通孔１６と、側壁部３ａより内側に位置する螺子挿通孔１７とが貫設されている。屋根壁部３ｂの外側被覆板５ａの表面は適宜色の塗料が塗着され、同内側被覆板５ｂには前記と同じ遮熱塗料が塗着される。
【００１５】
更に、ユニットパネルａの周縁の鉄骨枠４付近であって内側被覆板５ｂには、図８に示すように該鉄骨枠４に沿って隣り合うユニットパネルａ，ａ同士で互いに対応位置する開口部１８が設けられている。これら開口部１８に近接する鉄骨枠４，４にボルト挿通孔１９，１９が開設される。ボルト挿通孔１９は、隣り合うユニットパネルａ，ａを互いに連結して固着するためのものである。各開口部１８には蓋２０が着脱自在に嵌着できるようになっている。また、外側被覆板５ａ側のユニットパネルａにおける長手方向に沿った両側縁には、該側縁に沿って低い段差の段条２１，２１が設けられている。これは繋ぎ目から雨水が侵入するのを防止するために後記するカバ−部材２９を嵌入するためである。
【００１６】
前記ユニットパネルａ，ａ１，ａ２は、工場で大量に製造され、組立ハウスＨが組み立てられる現場までトラックに載せて輸送される。そして、現場の設置位置ではユニットパネルａ，ａ１，ａ２をそれぞれ順に起立させる。例えば、ユニットパネルａについては、図４、図７に示すように基礎Ｋにおける平面円形状の据置部ｋの上面に無収縮モルタル２２を介してユニットパネルａを設置する。この際、据置部ｋの上面に突出する連結手段としての２本のアンカ−ボルト２３，２３を、ユニットパネルａ下端面１３に開設した螺子挿通孔１５を含め前記固定板１４の両螺子挿通孔１６，１７に挿通し、各アンカ−ボルト２３に連結手段としてのナット２４を螺子締めする。これにより、据置部ｋの上面にユニットパネルａ（ａ−１）が立設固定される。
【００１７】
続いて、前記ユニットパネルａ−１に隣接するようにして、次のユニットパネルａ−２を据置部ｋの上面に配置し、前記と同様な作業を繰り返してユニットパネルａ−２を立設固定する。更に、図４、図８に示すように両ユニットパネルａ−１，ａ−２における隣り合う側端部の互いに合致する開口部１８，１８内で、各鉄骨枠４，４に貫設され互いに連通するボルト挿通孔１９，１９に連結手段であるボルト２５を挿通すると共に該ボルト２５に連結手段であるナット２６を螺子締めすることにより、互いのユニットパネルａ−１，ａ−２が連結される。隣接する両ユニットパネルａ−１，ａ−２の側面間には、その長手方向に沿ってゴム板２７が介装される。これは、雨水の侵入を防ぐことと気温の上下変化により鉄骨が伸縮するため、その伸縮量を吸収するためである。
【００１８】
更にまた、ユニットパネルａ−１とこれと隣接するユニットパネルａ−２との繋ぎ目の表面には、各対向する段条２１により凹溝２８が成形され、該凹溝２８に帯板状のカバ−部材２９が嵌着される。カバ−部材２９は、裏側のゴム板２９ａと表側のステンレス板又は鉄板からなる帯板２９ｂとを貼り合せた二層構造をしており、凹溝２８に嵌入させると共に適宜位置に設けられたネジ３０を鉄骨枠４に設けられた螺子孔３１に螺合する。凹溝２８の底面の両側にもゴム板３２が貼着されている。これにより、その継目からの雨水の侵入が防止される。以後、同様な作業を繰り返して図５、図６に示すように順にユニットパネルａ−１，ａ−２，…ａ−１２を組み立てる。
【００１９】
各ユニットパネルａ−１，ａ−２，ａ−３…における屋根壁部３ｂ，３ｂ…の上端部間には、円孔３３が開設され、図７に示すようにこの円孔３３に採光用の透明なガラス板３４が嵌着される。前記各ユニットパネルａ−１，ａ−２，ａ−３…の内、所定の位置のユニットパネル、例えば、ユニットパネルａ−１１に扉９が装着されており、所定のユニットパネルａ−２，ａ−５，１−９に窓７が装着されている。
【００２０】
また、図６、図７に示すように床面には床材３５が敷設される。この床材３５は、その下面に鉄板３６が設けられると共に上面に暖房仕上げ材である複数枚の木板３７が敷設され、その間に断熱材３８が介装される。床材３５の周端部は、ユニットパネルａの内側面に沿って設けられる所定高さの台枠３９に支持される。また、床材３５の裏側は、基礎Ｋ上面の適宜位置に複数本立設され、上下長さの調節自在な複数の支持脚４０によって支持されるようになっている。
【００２１】
これにより、本発明は図５に示すように石造り風のどっしりとした組立ハウスＨが組立てられる。最終的には、組立ハウスＨに水道や電気を引き込み、内部にトイレ、キッチン、洗面台、風呂等の生活に必要な設備が配置される。また、本発明の組立ハウスＨは、各ユニットパネルａ，ａ１，ａ２をボルト締めにより連結して組み立てられるので、その組立が簡単であると同時に分解も簡単であり、更に、基礎Ｋにボルト締めにより固着されているにすぎないことから、例えば他の場所に移築する場合も、簡単に分解・移動できてその移築が楽に行なえる。
【００２２】
また、本発明に係るユニットパネルａ，ａ１，ａ２は、鉄骨枠４の外面と内面とに鉄製の被覆板５ａ，５ｂを貼着したという構成からなり、成形が簡単で軽量であるばかりか一般建築基準を満たす所定の強度を有し強度的に頑強である。しかも、各ユニットパネルａ，ａ１，ａ２は側壁部３ａと屋根壁部３ｂとにより一体に成形され、いずれもボルト締めによりしっかりと連結され一体化されることから、組立ハウス全体が強固な建物となる。すなわち、各ユニットパネルａ，ａ１，ａ２により組立ハウスＨの荷重を持たせるようにしており、組立ハウスは言うなればモノコック構造をなすものであって、その内部に柱や仕切り用の壁がいっさい無用となる。前記各ユニットパネルａ，ａ１，ａ２は従来の建物における柱、はり、壁を一体としたものと言える。よって、組立ハウスＨは、一般住宅などの建物として使用できる。
【００２３】
更に、組立ハウスＨは、その内部に柱や仕切り用の壁がいっさい無いことから、間取りを設計する場合、邪魔するものが無く組立ハウスＨ内の自由な設計が可能になる。また、このようなユニットパネルａ，ａ１，ａ２を使用することにより組立ハウスが組み立てられるので、その組み立てに煩雑な手間が掛からず作業の迅速化が容易であると共に工期も短縮でき施工コストも低廉になし得る。
【図面の簡単な説明】
【００２４】
【図１】ユニットパネルの斜視図。
【図２】同分解斜視図。
【図３】（イ）は窓付きのユニットパネルの斜視図、（ロ）は扉付きのユニットパネルの斜視図。
【図４】組立手順を示す組立ハウスの斜視図。
【図５】完成した組立ハウスの斜視図。
【図６】同平面断面図。
【図７】同ユニットパネル部位の縦断面図。
【図８】同隣り合うユニットパネル部位の平面拡大断面図。
【符号の説明】
【００２５】
３ａ                  側壁部
３ｂ                  屋根壁部
４                    鉄骨枠
５ａ                  被覆板（外側被覆板）
５ｂ                  被覆板（内側被覆板）
２３                  連結手段（アンカ−ボルト）
２４                  連結手段（ナット）
２５                  連結手段（ボルト）
２６                  連結手段（ナット）
ａ，ａ１，ａ２        ユニットパネル
Ｈ                    組立ハウス
【図１】
2006070591.tif 000003
【図２】
2006070591.tif 000004
【図３】
2006070591.tif 000005
【図４】
2006070591.tif 000006
【図５】
2006070591.tif 000007
【図６】
2006070591.tif 000008
【図７】
2006070591.tif 000009
【図８】
2006070591.tif 000010